(57)【要約】【課題】画面に帯電する静電気及び画面に付着する塵埃等の異物を除去し、前記画面の表面を常にクリアな状態を保ち、前記画面上に常に鮮明な画像を表示することができるディスプレイ装置を提供する。【解決手段】長方形状の開口が形成された筐体と、開口より表示面が露出するように、前記筐体内部に配置された映像表示部とを有し、筐体の前面に支持された清掃部材と、清掃部材を摺動させる摺動機構とを有しており、プラスイオンとマイナスイオンを交互に発生させるイオン発生部と、イオンを含む空気を吹き付ける送風部とを有しており、イオンを含む空気を表示面に吹き付けつつ、摺動される清掃動作を行うディスプレイ装置。【選択図】図１
2008292872.tif 000002
【特許請求の範囲】
【請求項１】
前記開口より表示面が露出するように、前記筐体内部に配置された映像表示部とを有するディスプレイ装置であって、
少なくとも前記開口の一辺と平行かつ該一辺よりも長く形成され、前記表示面と非接触であるとともに、前記一辺と直交する方向に摺動可能に前記筐体の前面に支持された清掃部材と、
前記清掃部材を摺動させる摺動機構とを有しており、
前記清掃部材は長尺状の本体部と、
プラスイオンとマイナスイオンを交互に発生させるイオン発生部と、
前記表示面に前記イオン発生部で発生されたイオンを含む空気を吹き付ける送風部とを有しており、
前記清掃部材はイオン発生部で発生したイオンを含む空気を送風部で前記表示面に吹き付けつつ、前記摺動機構にて摺動される清掃動作を行うことを特徴とするディスプレイ装置。
【請求項２】
前記イオン発生部は前記本体部より前記表示面に向けて突出し、高電圧が印加される金属電極針を複数個有していることを特徴とする請求項１に記載のディスプレイ装置。
【請求項３】
前記金属電極針にはパルス状の電圧が印加されていることを特徴とする請求項２に記載のディスプレイ装置。
【請求項４】
前記金属電極針には交流が印加されていることを特徴とする請求項２に記載のディスプレイ装置。
【請求項５】
前記送風部は前記本体部の前記表示面に向けて開口する複数個の凹孔を有しており、
前記凹孔の奥には外部より空気を取り入れる空気取入れ部が備えられていることを特徴とする請求項１から請求項４のいずれかに記載のディスプレイ装置。
【請求項６】
前記凹孔の内部には前記複数個の金属電極針が内側壁部と接触しないように配置されていることを特徴とする請求項５に記載のディスプレイ装置。
【請求項７】
前記空気取入れ部は前記清掃動作時摺動方向正面側に開口する空気取り入れ孔であることを特徴とする請求項５又は請求項６に記載のディスプレイ装置。
【請求項８】
前記空気取入れ部は、前記複数個の凹孔の奥部同士を連結する中空部を有し、
前記中空部と連結された空気取り入れ孔を有していることを特徴とする請求項５又は請求項６に記載のディスプレイ装置。
【請求項９】
前記空気取り入れ部には、吸入空気量を増やすための送気手段が取り付けられていることを特徴とする請求項５から請求項８のいずれかに記載のディスプレイ装置。
【請求項１０】
前記清掃動作が前記映像表示部の動作終了後、行われることを特徴とする請求項１から請求項９のいずれかに記載のディスプレイ装置。
【請求項１１】
前記清掃部材は前記筐体の側壁部に形成された摺動凹溝に嵌合されていることを特徴とする請求項１から請求項１０のいずれかに記載のディスプレイ装置。
【請求項１２】
前記清掃部材は映像表示部が動作しているときは、前記表示面と重ならない位置で待機することを特徴とする請求項１から請求項１１のいずれかに記載のディスプレイ装置。
【発明の詳細な説明】
【技術分野】
【０００１】
本発明は、映像表示面の表面に付着する塵、埃等の微粒子を取り除くことができる除塵装置を備えたディスプレイ装置に関するものである。
【背景技術】
【０００２】
液晶表示装置やプラズマ表示装置等のディスプレイ装置では、電源をＯＮにした状態のとき、映像表示面（画面）が帯電している。この静電気は電源をＯＦＦにしても一定期間は前記画面上に滞留する。前記画面に静電気が滞留していると、空気中に浮遊している塵、埃等の微粒子が前記画面の表面に吸い寄せられて付着する。
【０００３】
また、電源がＯＮのときに、前記画面は内部機器の熱により高温になっており、電源がＯＦＦにされると前記画面の温度は下がる。前記画面の温度が下がるときに、前記画面の周囲の空気も冷却され、空気中に含まれる水分が画面に付着する。
【０００４】
前記画面に前記微粒子が付着し、さらに水分が付着した状態で、前記画面の温度が下がっていくと、画面に前記微粒子が付着してしまう。前記画面に前記微粒子が付着すると、前記画面に映し出される映像が不鮮明になる不具合が発生する。また、前記静電気は前記画面の温度が下がっても前記画面からは除去されず、周囲の電子機器に悪影響を及ぼす原因となる場合がある。
【０００５】
そこで、特開２００１−１９７４０２号公報に記載の発明では、ディスプレイ装置に巻き取りおよび引き出し可能に構成されたロールカーテンを取り付け、前記ロールカーテンで静電気の除去を行うものが示されている。
【０００６】
また、特開２００４−２１９９４５号公報に記載の発明では、スクリーンに拡大投射する投射型表示装置の塵埃除去方法が記載されている。すなわち、前記スクリーンに振動モータを取り付けておき、振動モータを駆動し振動させることで、塵埃を除供するものである。
【０００７】
さらに特開平７−２９５０３０号公報では、カメラのファインダーに付着した汚れを接触して或いは空気を吹き付けることで取り除くものが記載されている。
【特許文献１】特開２００１−１９７４０２号公報
【特許文献２】特開２００４−２１９９４５号公報
【特許文献３】特開平７−２９５０３０号公報
【発明の開示】
【発明が解決しようとする課題】
【０００８】
しかしながら、特開２００１−１９７４０２号公報に記載の発明の場合、ディスプレイ装置の電源がＯＦＦのときには、静電気除去用のカーテンがかぶせられているものであり、ディスプレイ装置の電源をＯＮにして使用する前にカーテンを巻き取らなくてはならず、手間がかかる。静電気を除去すること、電源ＯＦＦの間に塵埃が付着するのを抑制することができるが、電源ＯＮの間に付着した埃を取り除くものではない。
【０００９】
特開２００４−２１９９４５号公報に記載の発明の場合、振動である程度の塵埃を取り除くことは可能であるが、画面に帯電した静電気まで除去することはできず、前記帯電した静電気によって吸着されている塵埃を取り除くことも難しい。
【００１０】
特開平７−２９５０３０号公報に記載の発明の場合、ブラシ等の接触して汚れを取るものが記載されており、前記ブラシを使えば静電気、塵埃を取り除くことは可能であるが、使用しない場合邪魔になる。また、空気を吹き付けて汚れを取り除くものの場合、空気の吹き付け部の近傍では空気圧が強いので汚れがよく取れるが、離れた部分では汚れが取れにくい。
【００１１】
そこで本発明は、画面に帯電する静電気及び画面に付着する塵埃等の異物を除去し、前記画面の表面を常にクリアな状態を保ち、前記画面上に常に鮮明な画像を表示することができるディスプレイ装置を提供することを目的とする。
【課題を解決するための手段】
【００１２】
上記目的を達成するために本発明は、長方形状の開口が形成された筐体と、前記開口より表示面が露出するように、前記筐体内部に配置された映像表示部とを有するディスプレイ装置であって、少なくとも前記開口の一辺と平行かつ該一辺よりも長く形成され、前記表示面と非接触であるとともに、前記一辺と直交する方向に摺動可能に前記筐体の前面に支持された清掃部材と、前記清掃部材を摺動させる摺動機構とを有しており、前記清掃部材は長尺状の本体部と、プラスイオンとマイナスイオンを交互に発生させるイオン発生部と、前記表示面に前記イオン発生部で発生されたイオンを含む空気を吹き付ける送風部とを有しており、前記清掃部材はイオン発生部で発生したイオンを含む空気を送風部で前記表示面に吹き付けつつ、前記摺動機構にて摺動される清掃動作を行うことを特徴とする。
【００１３】
この構成によると、表示面に帯電した静電気を取り除くとともに、埃、塵当の異物を吹き飛ばすので、手間をかけることなく、前記表示面をクリーンな状態にすることが可能である。
【００１４】
上記構成において、前記イオン発生部は前記本体部より前記表示面に向けて突出し、高電圧が印加される金属電極針を複数個有しているものであってもよい。このとき、前記金属電極針にはパルス状の電圧が印加されているものであってもよく、交流が印加されていてもよい。
【００１５】
上記構成において、前記送風部は前記本体部の前記表示面に向けて開口する複数個の凹孔を有しており、前記凹孔の奥には外部より空気を取り入れる空気取入れ部が備えられているものとしてもよい。
【００１６】
上記構成において、前記凹孔の内部には前記複数個の金属電極針が内側壁部と接触しないように配置されているものとしてもよい。
【００１７】
上記構成において、前記空気取入れ部は前記清掃動作時摺動方向正面側に開口する空気取り入れ孔であるとしてもよい。また、前記空気取入れ部は、前記複数個の凹孔の奥部同士を連結する中空部を有し、前記中空部と連結された空気取り入れ孔を有しているものとしてもよい。
【００１８】
上記構成において、前記空気取り入れ部には、吸入空気量を増やすための送気手段が取り付けられているものであってもよい。
【００１９】
上記構成において、前記清掃動作が前記映像表示部の動作終了後、行われるものとしてもよい。
【００２０】
上記構成において、前記清掃部材は前記筐体の側壁部に形成された摺動凹溝に嵌合されているものであってもよい。
【００２１】
上記構成において、前記清掃部材は映像表示部が動作しているときは、前記表示面と重ならない位置で待機するものとしてもよい。
【発明の効果】
【００２２】
本発明によると、画面に帯電する静電気及び画面に付着する塵埃等の異物を除去し、前記画面の表面を常にクリアな状態を保ち、前記画面上に常に鮮明な画像を表示することができるディスプレイ装置を提供することができる。
【発明を実施するための最良の形態】
【００２３】
以下に本発明の実施形態を図面を参照して説明する。図１は本発明にかかるディスプレイ装置の斜視図であり、図２は本発明にかかるディスプレイ装置の側面図であり、図３は本発明にかかるディスプレイ装置の正面図である。
【００２４】
図１に示すように、ディスプレイ装置は薄型の映像表示パネルを用いた薄型映像表示装置であり、それには限定されないがここでは、液晶テレビである。図１に示す液晶テレビＡは、少なくとも液晶表示パネル１と、液晶パネル１を内蔵する本体部２と、スタンド部３と、掃除部材４とを有している。
【００２５】
液晶表示パネル１は、少なくとも透明電極が配置され、対抗して配置された一対のガラス基板の間に液晶が封入されている液晶セル、液晶セルの透明電極に電力を供給する基板と、バックライト等を備えた薄型の表示パネルである。液晶表示パネル１の正面には画像が表示される、画面部１１を有している。
【００２６】
本体部２は、フロントキャビネット２１と、リヤキャビネット２２とを有している。本体部２は内部に液晶表示パネル１が備えられており、フロントキャビネット２１には内部に配置された液晶表示パネル１の画面部１１が露出される開口部２１１が形成されている。液晶表示パネル１は、画面部１１が開口部２１１より外部に見えるように、フロントキャビネット２１に取り付けられている。フロントキャビネット２１には、左右両側面に上下に伸びる凹溝２１２が形成されている。リヤキャビネット２２はフロントキャビネット２１とで液晶表示パネル１を挟むように、フロントキャビネット２１の後背に取り付け固定される。
【００２７】
図１、図２に示すように、スタンド部３は、少なくとも、台座部３１と、支持脚部３２とを有している。台座部３１はそれには限定されないが、平板上の部材であり、液晶テレビＡをテーブルや設置台に設置するときの台座である。台座部３１は、対向するように形成された一対の取付凸部３１１を備えている。取付凸部３１１に、支持脚部３２を回動可能に取り付けることで、取付凸部３１１を中心に液晶テレビＡを前後方向に傾倒させることができる。
【００２８】
図３に示すように、掃除部材４は横方向に伸び、開口部２１１よりも長く形成され画面部１１と離れて配置された直方体形状の本体部４１と、本体部４１の両端部に形成された係合爪部４２と、駆動機構４０とを有している。係合爪部４２は本体部４１より一体的に突設された支持部４２１と、支持部４２１の先端より内側に向けて突出された突設部４２２とを有している。掃除部材４は係合爪部４２の突設部４２２がフロントキャビネット２１の凹溝２１２に係合されている。係合爪部４２が凹溝２１２内を摺動することで、掃除部材４は摺動する。
【００２９】
掃除部材４の摺動機構としては、凹溝２１２内部にラックが形成され、係合爪部４２に備えられたピニオンギヤを回転させて摺動させるものや、筐体内部に回転可能な螺旋部材が備えられており、係合爪部の突設部４２２に螺旋部材と螺合する雌ねじ状に形成された部材が取り付けられているもの等、摺動させることができるとともに、途中で、移動を停止しても、落下したり、接触してしまったりするのを抑制することができるものを広く採用することができる。掃除部材４は、摺動機構にて、開口部２１１を上下に横切るように摺動される。
【００３０】
図４は掃除部材の本体部の拡大図であり、図５は清掃部材の本体部の拡大断面図である。図４に示すように、本体部４１の画面部１１側の面には、複数の凹孔４３１を備える送風部４３と、凹孔４１１の中央に配置され、内壁部と接触しないように配置された電極針４４１を備えるイオン発生部４４とを有している。
【００３１】
送風部４３は、上述したように凹孔４３１と、凹孔４３１の奥部に空気を供給するための空気取入れ部４３２とを有している。空気取入れ部４３２は、図５に示すように、掃除部材４が摺動するときに本体部４１の摺動正面になる上面部４１ｕ及び下面部４１ｄに向けて開口しているものである。空気取り入れ部４３２の上面部４１ｕに開口している部分と下面部４１ｄに開口している部分はずれて形成されている。これにより、掃除部材４が上方に向けて摺動するとき、下側に向けて摺動するときいずれの場合でも、空気取入れ部４３２より取り入れられた空気が、凹孔４３１を介して画面部１１に向けて吐き出される。
【００３２】
イオン発生部４４は電極針４４１を有しており、電極針４４１は凹孔４３１の内壁部と接触しないように配置されている。電極針４４１の先端は、本体部４１より突出するように配置されるものであり、パルス状の直流電圧、交流電圧が印加されることで、凹孔４３１の内部にプラスイオンとマイナスイオンを交互に生成することができる。たとえば、７ｋＶ〜８ｋＶ程度の電圧を印加することで、イオンを発生することが可能である。また、図４に示す本体部４１には、一つの凹孔４３１に一つの電極針４４１が形成されているものが示されているが、それには限定されない。
【００３３】
液晶テレビＡは、画面部１１に映像を出力しているときに、画面部１１に静電気が帯電する。この帯電は、場所によってプラスに帯電していたり、マイナスに帯電していたりするものである。画面部１１が帯電している状態では、空気中の埃、塵等の微粒子が吸着される。画面部１１に帯電した静電気は電源がＯＦＦになっても、保持されるものであり、このことから、微粒子も画面部１１より外れない。また、電源ＯＮの状態のときは温度が高くなっており、電源がＯＦＦになり温度が下がるときに、微粒子が空気中の水分と結びついて、異物が画面部１１上に張り付く。
【００３４】
そこで、本発明の掃除部材は液晶パネル１の電源がＯＦＦにされて、温度が下がる前に、清掃動作が行われる。液晶テレビＡにおいて、電源ＯＮで画面部１１に映像が表示されているときは、清掃部材４は、フロントキャビネット２１の上端部或いは下端部に配置されており、開口部２１１と重ならないので、画面部１１に表示される映像の邪魔をしない。
【００３５】
液晶テレビＡの電源がＯＦＦにされるとともに、電極針４４１に電圧を印加するとともに、掃除部材４を摺動させる。このとき、掃除部材４の摺動によって、空気取入れ口４３２より取り入れられた空気が、凹孔４３１に流れ込み、電極針４４１の周りに発生した、プラスイオン及びマイナスイオンを含む空気を画面部１１に吹きかける。プラスイオン及びマイナスイオンを吹きかけられることで、画面部１１に帯電している静電気が中和されるので、微粒子を画面部１１に向けて引っ張る力が弱くなる。これに伴い、凹孔４３１より空気が吹きかけられるので、その空気の圧力で微粒子が画面部１１より吹き飛ばされる。
【００３６】
このようにして、電源ＯＦＦのたびに、画面部１１の清掃を行うので、常に画面部１１をクリーンな状態で保つことができる。なお、凹孔４３１は、画面部１１の隅部に至るまで、一定以上の流速の空気を吹きかけることができる個数のものを広く採用することができる。清掃部材４は上部及び下部に待機場所を備えており、使用しないときは待機場所に位置して、画面部１１に表示される映像の視聴の邪魔にならないようにしているが、それに限定されるものではなく、上部或いは下部の一方に待機位置が形成されているものでもよい。この場合、清掃部材４による清掃動作は、上下に往復することで完了されるものとすることが可能である。
【００３７】
図６に本発明にかかる掃除部材の本体部の拡大図を示す。図６に示すように、凹孔４３１の奥部を連結する中空部４３３が形成されている。このように中空部４３３が形成されていることで、空気の流速のむら減らすことができる。また、図７に示すように、空気取入れ孔４３４を１箇所に集中させておき、この空気取入れ孔４３４に動力（電力）が供給され、掃除部４と独立して駆動されるファン４３５を備えていてもよい。ファン４３５を備えることで、掃除部材４の移動速度に関係なく、一定以上の流速を備えた空気を凹孔４３１より噴出すことができるので、清掃能力を上げることが可能である。
【００３８】
また、図８に示すように、掃除部材５が外部に露出したレール６と係合して摺動するように形成してもよい。この場合、レール６と掃除部材５とを追加することができれば、既存のディスプレイ装置にも取り付け可能である。
【００３９】
上述の各実施例においては、清掃部材４が上下に摺動するものが例示されているが、それに限定されるものではなく、左右方向に摺動するものであってもよい。また、映像表示装置として液晶表示パネルを供えた液晶テレビを例に説明しているが、プラズマ表示パネルを供えたプラズマテレビや、ＣＲＴを備えたＣＲＴテレビ等、画面部に帯電する映像表示装置を用いるディスプレイ装置に広く採用することができる。
【産業上の利用可能性】
【００４０】
本発明は、ディスプレイ装置において適用することができる。
【図面の簡単な説明】
【００４１】
【図１】本発明にかかるディスプレイ装置の斜視図である。
【図２】本発明にかかるディスプレイ装置の側面図である。
【図３】本発明にかかるディスプレイ装置の正面図である。
【図４】掃除部材の本体部の拡大図である。
【図５】清掃部材の本体部の拡大断面図である。
【図６】本発明にかかる掃除部材の本体部の拡大図である。
【図７】本発明にかかる掃除部材の本体部の拡大図である。
【図８】本発明にかかるディスプレイ装置の正面図である。
【符号の説明】
【００４２】
１  液晶パネル
２  本体部
３  スタンド部
４  清掃部材
４１  本体部
４２  係合爪部
４３  駆動機構
【図１】
2008292872.tif 000003
【図２】
2008292872.tif 000004
【図３】
2008292872.tif 000005
【図４】
2008292872.tif 000006
【図５】
2008292872.tif 000007
【図６】
2008292872.tif 000008
【図７】
2008292872.tif 000009
【図８】
2008292872.tif 000010